(57)【要約】【課題】手軽に撮影補助部材を取り外しできるカメラ付き携帯通信端末とそれに使用する撮影補助部材を提供する。さら、必要な撮影補助部材を選びその場で使用することができるように常時複数個の撮影補助部材を携帯することができる撮影補助部材を提供する。【解決手段】カメラ付き携帯通信端末はカメラ部による撮影を補助するための光学部材を有する撮影補助部材と、前記撮影補助部材を装着部とを含み、前記装着部に対し、前記撮影補助部材を一方向への嵌合手段によって取り外し可能に嵌合する。また、前記撮影補助部材は、他の撮影補助部材と結合する接続部を有する。【選択図】      図１
2004264681.tif 000002
【特許請求の範囲】
【請求項１】
カメラと、
前記カメラによる撮影を補助するための光学部材を有する撮影補助部材と、
前記撮影補助部材を装着部とを含み、
前記撮影補助部材は、前記装着部に対し、一方向への嵌合によって取り外し可能に嵌合する嵌合手段を有することを特徴とするカメラ付き携帯通信端末。
【請求項２】
前記撮影補助部材の嵌合手段は、嵌合凸部を有し、
前記装着部は、前記嵌合凸部と嵌合する嵌合凹部を有することを特徴とする請求項１記載のカメラ付き携帯通信端末。
【請求項３】
前記撮影補助部材は接続部によって他の撮影補助部材に結合することを特徴とする請求項１または２記載のカメラ付き携帯通信端末。
【請求項４】
前記撮影補助部材は他の撮影補助部材と上下に嵌合する構造を有することを特徴とする請求項１または２記載のカメラ付き携帯通信端末。
【請求項５】
カメラによる撮影を補助するための光学部材を有する撮影補助部材であって、所定の装着部に対し、一方向への嵌合によって取り外し可能に嵌合する嵌合手段を有することを特徴とする撮影補助部材。
【請求項６】
前記撮影補助部材の嵌合手段は、嵌合凸部を有し、前記装着部の嵌合凹部と嵌合することを特徴とする請求項５記載の撮影補助部材。
【請求項７】
前記撮影補助部材は、他の撮影補助部材と結合する接続部を有することを特徴とする請求項５または６記載のカメラ付き通信端末用撮影補助部材。
【請求項８】
前記撮影補助部材は他の撮影補助部材と上下に嵌合する構造を有することを特徴とする請求項５または６記載のカメラ付き通信端末用撮影補助部材。
【発明の詳細な説明】
【０００１】
【発明の属する技術分野】
本発明は、カメラと取り外し可能なレンズを有するカメラ付き携帯通信端末と撮影補助部材に関する。
【０００２】
【従来の技術】
従来のカメラ付き通信端末には撮影補助部材として外付け接写レンズをカメラの光軸の上部に取り付け可能なものがある。このレンズの取付方法として、レンズを内部に固定した円筒体を所定方向に回転扇動させることによりカメラの上部にはめ込むやり方が知られている。
【０００３】
【特許文献】
特開２０００−２９７２５７
【０００４】
【発明が解決しようとする課題】
しかしながら、上述した外付け接写レンズはカメラの上部に回転扇動にてはめ込むもので、取り付けるのに時間を要していた。また複数個のレンズを同時に携帯することは困難であった。
【０００５】
この発明は上記の問題点を鑑みてなされたもので、その目的は手軽に撮影補助部材を取り外しできるカメラ付き携帯通信端末とそれに使用する撮影補助部材を提供することにある。さらに他の目的は、必要な撮影補助部材を選びその場で使用することができるように常時複数個の撮影補助部材を携帯することができる撮影補助部材を提供することにある。
【０００６】
【課題を解決するための手段】
手軽に撮影補助部材を取り外しできるカメラ付き携帯通信端末とそれに使用する撮影補助部材を提供するという目的を達成するために、この発明にかかるカメラ付き携帯通信端末はカメラ部による撮影を補助するための光学部材を有する撮影補助部材と、前記撮影補助部材を装着部とを含み、前記装着部に対し、前記撮影補助部材を一方向への嵌合手段によって取り外し可能に嵌合することを特徴とする。
【０００７】
また、前記嵌合手段は嵌合凸部を有し、前記装着部は、前記嵌合凸部と嵌合する嵌合凹部を有することを特徴とする。
【０００８】
そして、前記撮影補助部材は接続部によって他の撮影補助部材に結合することを特徴とする。
【０００９】
さらに、前記撮影補助部材は他の撮影補助部材と上下に嵌合する構造を有することを特徴とする。
【００１０】
また、必要な撮影補助部材を選びその場で使用することができるように常時複数個の撮影補助部材を携帯することができる撮影補助部材を提供するという目的を達成するために、この発明にかかる光学部材を有する撮影補助部材は所定の装着部に対し、一方向への嵌合によって取り外し可能に嵌合する嵌合手段を有することを特徴とする。
【００１１】
また、前記撮影補助部材の嵌合手段は、嵌合凸部を有し、前記装着部の嵌合凹部と嵌合することを特徴とする。
【００１２】
そして、前記撮影補助部材は、他の撮影補助部材と結合する接続部を有することを特徴とする。
【００１３】
さらに、前記撮影補助部材は他の撮影補助部材と上下に嵌合する構造を有することを特徴とする。
【００１４】
【発明の実施の形態】
図１は、本願発明による第１の実施の形態を示し、折畳型のカメラ付き携帯電話機の構成を示す背面から見た平面図である。また、図２は図１に示した折畳型のカメラ付き携帯電話機のＡ−Ａ断面図である。図３は図２で示した撮影補助部材２（第１の実施の形態）を装着した携帯電話機のＡ−Ａ断面の一部拡大図である。撮影補助部材２は図１に示すようにカメラ付き携帯電話機のカメラレンズ周辺に取り外しができるように取り付けられている。また、撮影補助部材２は図３に示すようにガラス板１０を挟んでカメラ部８の上部に取り付けられる。
【００１５】
図４は図３に示した撮影補助部材２を示す断面図である。また図５は撮影補助部材２を側面から見た図であり、図６は撮影補助部材２の斜視図である。円筒形状の撮影補助部材２は接写レンズ３とそれを保持する保持部７から形成され、撮影補助部材２の側面には突起物からなる嵌合凸部４が設けられている。嵌合凸部４は、撮影補助部材２の中心に対して対になるように複数個設けられる。なお、撮影補助部材２の材質は金属でも構わないが強度がある軽量のプラスチックなどが好ましい。
【００１６】
図７は図３から筐体１側の撮影補助部材２を取り外した状態を示す断面図である。筐体１のカメラ部８周辺には撮影補助部材２を取り付けるための装着部５が備えられている。装着部５は嵌合凸部４に合わせて周囲を一周するように凹状に削られた嵌合凹部６を形成している。装着部５の材質は強度があるものであれば金属でもプラスチックでも構わない。
【００１７】
撮影補助部材２を装着部５に取り付けるには撮影補助部材２の嵌合凸部４を装着部５の嵌合凹部６に嵌るように撮影補助部材２を押し込むように装着され、嵌合凸部４と嵌合凹部６が取り外しやすい力で嵌合する。嵌合する力を調節するため、撮影補助部材２の嵌合凸部４の両側に図８に示すようにスリット９をもうけ、嵌合凸部４の嵌合時の動きを大きくすればよい。
【００１８】
また撮影補助部材２を取り外す際には装着部５から露出している撮影補助部材２の側面を指で押さえながらはさみ、取り外す。取り外しがしやすいように指の形に合わせたくぼみを撮影補助部材２が装着部５に装着されたときに露出している部分に設けてもよい。
【００１９】
図９は本発明の撮影補助部材の第２の実施の形態を示す斜視図である。接続部１１は撮影補助部材の側面同士で結合するための部材である。複数個の撮影補助部材２と撮影補助部材２同士をつなげる接続部１１から構成されている。撮影補助部材２には接写レンズ３に限らず、魚眼レンズなどの倍率や口径が異なる複数のレンズ３Ａ、３Ｂ、３Ｃ、３Ｄを備え、各撮影補助部材２が平面状になるよう接続部１１で固定される。
【００２０】
これにより一度に複数の補助撮影部材２を持ち歩くことができる。撮影補助部材２に取り付けられる光学部材はレンズに限らず、カラーフィルターなどの光学フィルターでもよい。撮影補助部材２を使用するときは数珠状になった撮影補助部材２から必要な撮影補助部材２を選び、図７の装着部５に取り付ける。
【００２１】
図１０は撮影補助部材の第３の実施の形態を示す斜視図である。また図１１は第３の実施例に示す撮影補助部材の断面図である。第３の実施の形態では、撮影補助部材同士１００、２００、３００がレンズ光軸方向に重ねて固定される。撮影補助部材１００、２００、３００には倍率が異なるレンズ３０１、３０２、３０３を有する。撮影補助部材１００には図７の装着部５に装着するための嵌合凸部１０１を備えているが、前記嵌合凸部１０１が撮影補助部材２００内部に備えられた嵌合凹部２０１に合うように嵌合される。各嵌合凸部１０１は図７の装着部５に取り付けられる。したがって、必要なレンズを有する撮影補助部材を選んで図７の装着部５に取り付ければよい。
【００２２】
これにより一度に複数の撮影補助部材をコンパクトに持ち歩くことができる。なお、取付けについては第１の実施の形態と同様に嵌合凸部が嵌合凹部に合うように押し込むように装着され、逆に取り外す時は、撮影補助部材の側面を指で挟んで引っ張る。
【００２３】
【発明の効果】
以上説明したように本願発明によれば、手軽に取付け可能な撮影補助部材を有するカメラ付き携帯通信端末が得られる。また本発明によれば、複数個のうちから必要に応じてレンズまたはフィルターを選び、その場で手軽にレンズを取り替えることが可能となる。また撮影補助部材を輪状に並べたり、重ねたりすることで撮影補助部材をコンパクトに持ち歩くことができる。
【図面の簡単な説明】
【図１】折畳型のカメラ付き携帯電話機の構成を示す背面から見た平面図である。
【図２】図１に示した折畳型のカメラ付き携帯電話機のＡ−Ａ断面図である。
【図３】図２で示した撮影補助部材２を装着した携帯電話機のＡ−Ａ断面の一部拡大図である。
【図４】図３に示した撮影補助部材であり、第１の実施例の形態を示す断面図である。
【図５】撮影補助部材２を側面からみた図である
【図６】撮影補助部材２の斜視図である。
【図７】図３における装着部の状態を示す断面図である。
【図８】撮影補助部材の斜視図である。
【図９】撮影補助部材の第２の実施の形態を示す斜視図である。
【図１０】撮影補助部材の第３の実施の形態を示す斜視図である。
【図１１】図１０に示した第３の実施の形態の断面図である。
【符号の説明】
１  筐体
２、１００、２００、３００  撮影補助部材
３、３Ａ、３Ｂ、３Ｃ、３Ｄ、３０１、３０２、３０３  レンズ
４、１０１  嵌合凸部
５  装着部
６、１０２  嵌合凹部
７  保持部
８  カメラ部
９  スリット
１０  ガラス板
１１  接続部
【図１】
2004264681.tif 000003
【図２】
2004264681.tif 000004
【図３】
2004264681.tif 000005
【図４】
2004264681.tif 000006
【図５】
2004264681.tif 000007
【図６】
2004264681.tif 000008
【図７】
2004264681.tif 000009
【図８】
2004264681.tif 000010
【図９】
2004264681.tif 000011
【図１０】
2004264681.tif 000012
【図１１】
2004264681.tif 000013